(57)【要約】      （修正有）【課題】夜間でもカラー映像を撮影することができ、カメラの隠匿性が高く、光源からカメラへの熱の影響が生じにくく、また、新たな設置場所や電源配線を必要としない防犯カメラ内蔵街路灯を提供する。【解決手段】ＬＥＤを光源として利用するＬＥＤ街路灯１に、防犯カメラを内蔵する。防犯カメラは一般公開型映像記録配信防犯カメラ２とし、撮影された映像は、無線通信アンテナ３を通じて無線通信端末４で受信、表示される。ＬＥＤ街路灯１は、夜間でも防犯カメラで映像を撮影するため、できるだけ広範囲を照射できるＬＥＤを使用すると良い。【選択図】図１
2015170401.tif 000002
【特許請求の範囲】
【請求項１】
本発明は、ＬＥＤモジュールと、前記ＬＥＤを配置する基板と、前記基板を内蔵したＬＥＤ街路灯と、前記ＬＥＤ街路灯に内蔵する防犯カメラからなる、防犯カメラ内蔵ＬＥＤ街路灯
【請求項２】
広範囲を照射できるＬＥＤを使用する、請求項１に記載の防犯カメラ内蔵ＬＥＤ街路灯
【発明の詳細な説明】
【技術分野】
【０００１】
本発明は、防犯カメラを内蔵するＬＥＤ街路灯に関する。
【背景技術】
【０００２】
ＬＥＤ（Light Emitting Diode）は発光ダイオードの英語名の略字であり、順方向に電圧を加えた際に発光する半導体素子である。このＬＥＤを筐体に複数個を配列し格納して、照明の光源として利用している。近年、ＬＥＤの普及と製造技術の進歩によって低価格化しており、工場の照明から、一般家庭の照明までに幅広く普及し始めている。特に、街路の歩道や車道の照明としても利用されている。
【先行技術文献】
【非特許文献】
【０００３】
【非特許文献１】特願２０１４−０４００１７
【発明の概要】
【発明が解決しようとする課題】
【０００４】
非特許文献１のような防犯カメラを街路に設置する場合、夜間には光源が必要となる。
従来は、夜間の防犯カメラでの撮影は赤外線を利用するが、色が判別できないので、細かい画像の判別が難しい。
【０００５】
街路灯の設置と防犯カメラの設置は、光源とカメラとの位置関係を考慮する必要がある。
また、電源などの配線も別に設置することになる。
【０００６】
従来の防犯カメラは、カメラが設置されていることがはっきり分かるので、隠匿性に欠ける。
【０００７】
街路灯とカメラの位置関係を解決するには、街路灯の内部に防犯カメラを内蔵する方法がある。しかし、街路灯として従来利用されている水銀灯は発熱が多く、カメラモジュールを街路灯内部に内蔵すると、熱による悪影響が懸念される。
【０００８】
防犯カメラを新たに街路に設置する場合、設置のための場所の確保、取り付けのための工事が新たに発生する。
【０００９】
本発明は上述のような技術背景のもとになされたものであり、下記の目的を達成する。
本発明の目的は、防犯カメラを内蔵する、ＬＥＤを光源として利用する街路灯である。
特に、一般公開型映像記録配信防犯システムを内蔵するＬＥＤ街路灯である。
【課題を解決するための手段】
【００１０】
本発明は、前記目的を達成するため、次の手段を採る。
本発明は、ＬＥＤモジュールと、前記ＬＥＤを配置する基板と、前記基板を内蔵したＬＥＤ街路灯と、前記ＬＥＤ街路灯に内蔵する防犯カメラからなることを特徴とする。
【００１１】
前記防犯カメラ内蔵街路灯は、夜間でも防犯カメラで映像を撮影するため、できるだけ広範囲を照射できるＬＥＤを使用すると良い。
【発明の効果】
【００１２】
本発明によると、次の効果が奏される。
ＬＥＤ街路灯に防犯カメラを設置することにより、夜間でも映像を撮影することができるので、２４時間稼働の防犯システムとなる。
また、赤外線を使用する必要がないので、街路灯の白色光により、カラーが視認できる映像を撮影することができる。
【００１３】
本発明は、ＬＥＤ街路灯に防犯カメラを内蔵することにより、防犯カメラの視野に照明の影の部分が存在しなくなるため、撮影の効率が良い。
【００１４】
本発明は、ＬＥＤ街路灯に防犯カメラを内蔵することにより、給電を共通化することができる。新たな電源の配線を必要とせず、照明と防犯カメラを同時に設置できるので、トータルコストの削減を図ることができる。
【００１５】
本発明は、ＬＥＤ街路灯に防犯カメラを内蔵することにより、防犯カメラが設置されていることが分かりにくくなり、威圧感なく生活できる。しかし、どの街路灯にカメラが付いているかわかりにくいことで、犯罪を犯す者にとっては、カメラの付いていない街路灯も警戒することになるため、犯罪を犯しにくくなる。
【００１６】
本発明は、照明として発熱の少ないＬＥＤ光源を使用することにより、カメラモジュールを内蔵しても熱による悪影響が発生しにくい。
【００１７】
本発明は、防犯カメラを街路灯に内蔵するため、防犯カメラを設置するための新たな場所の確保は不要となる。
特に、非特許文献１の一般公開型映像記録配信防犯システムを使用すると、映像ケーブルやネットワークケーブルの配線が不要となるため、通常の街路灯の設置と同等の工事だけで済む。
【００１８】
近年の流れとして、各市町村などの自治体において、ＬＥＤ街路灯への切り替えの計画、実施が現実化し、普及が急速に進んでいる中で、ＬＥＤ街路灯への切替予算とまとめる事により、工事費等の費用を増額せずに町中への防犯カメラの普及も実現できる。
【図面の簡単な説明】
【００１９】
【図１】本発明にかかる、防犯カメラ内蔵ＬＥＤ街路灯の全体図である。
【図２】本発明にかかる、一般公開型映像記録配信防犯カメラを内蔵したＬＥＤ街路灯本体の正面図である。
【図３】本発明にかかる、一般公開型映像記録配信防犯カメラを内蔵したＬＥＤ街路灯本体の取付側の図である。
【図４】本発明にかかる、一般公開型映像記録配信防犯カメラを内蔵したＬＥＤ街路灯本体の側面図である。
【図５】本発明にかかる、一般公開型映像記録配信防犯カメラを内蔵したＬＥＤ街路灯本体の背面図である。
【図６】本発明による、応用事例を表したチャート図である。
【発明を実施するための形態】
【００２０】
図１に示すように、ＬＥＤ街路灯本体１に内蔵された一般公開型映像記録配信防犯カメラ２で、撮影された映像は、無線通信アンテナ３を通じて無線通信端末４で受信、表示される。
【００２１】
図２に示すように、ＬＥＤ街路灯本体には、光源ＬＥＤモジュールＡと、一般公開型映像記録配信防犯カメラのレンズＢが配置される。夜間には、光源ＬＥＤモジュールＡが発光し、照らされた範囲を一般公開型映像記録配信防犯カメラのレンズＢから撮影する。
【００２２】
図３に示すように、ＬＥＤ街路灯本体には自動点滅器Ｃが配置され、周囲の明るさに反応して光源が点灯する。
【００２３】
図４に示すように、光源ＬＥＤモジュールＡと一般公開型映像記録配信防犯カメラのレンズＢが配置されている側と反対側に、自動点滅器Ｃが配置される。
【００２４】
図５に示すように、自動点滅器ＣはＬＥＤ街路灯本体の背面中央部に配置される。
【産業上の利用可能性】
【００２５】
本発明は、単体で設置、稼働できるので、小規模の施設でも導入ができる。街路灯としては、一つの路地に１本だけでも設置できるので、１つの町内会などでも防犯対策が可能である。その他、公共施設や店舗内の照明兼防犯カメラとしての利用が考えられる。
【符号の説明】
【００２６】
１・・・ＬＥＤ街路灯本体
２・・・一般公開型映像記録配信防犯カメラ
３・・・無線通信アンテナ
４・・・無線通信端末
Ａ・・・光源ＬＥＤモジュール
Ｂ・・・一般公開型映像記録配信防犯カメラのレンズ
Ｃ・・・自動点滅器（照度検知スイッチ）
【図１】
2015170401.tif 000003
【図２】
2015170401.tif 000004
【図３】
2015170401.tif 000005
【図４】
2015170401.tif 000006
【図５】
2015170401.tif 000007
【図６】
2015170401.tif 000008